(57)【特許請求の範囲】
【請求項１】
入力された映像信号によって空間変調して映像を形成するディスプレイパネルと、
前記映像信号に同期して印加される電圧によって、入射ビームの偏光方向を変換させる偏光変換素子と、
前記偏光変換素子から出力されたビームの位相を遅延させる１／２波長板である位相遅延部と偏光変換素子から出力されたビームを通過させる透過部とが交互に配列された部分位相遅延板、及び前記部分位相遅延板の次に配置された偏光板を備えたスイッチングバリアユニットとを備え、
前記偏光変換素子によって前記入射ビームの偏光方向が維持される状態と９０°変換される状態とになるよう時間順次にスイッチングされることにより３次元映像が表示され、前記偏光変換素子によって該偏光方向が４５°変換される状態になったとき２次元映像が表示され、
隣り合う前記位相遅延部の間または隣り合う前記透過部の間の間隔ピッチｐは、次の条件式：
【数１】
0005426067.tif 000004
を満足し、ここで、ｍ＝ｅ／ｉであり、ｅは、左眼と右眼との平均距離であり、ｉは、ディスプレイパネルのピクセルピッチを表すことを特徴とする２次元兼用の立体映像表示装置。
【請求項２】
前記偏光変換素子に電圧を印加する電圧駆動源を備えることを特徴とする請求項１に記載の２次元兼用の立体映像表示装置。
【請求項３】
前記ディスプレイパネルに一つのフレームの映像を構成する第１フィールド映像信号及び第２フィールド映像信号は、時間順次に入力されることを特徴とする請求項１に記載の２次元兼用の立体映像表示装置。
【請求項４】
前記第１フィールド映像信号は、右眼映像の奇数列と左眼映像の偶数列とを交互に表示し、第２フィールド映像信号は、左眼映像の奇数列と右眼映像の偶数列とを交互に表示することを特徴とする請求項３に記載の２次元兼用の立体映像表示装置。
【請求項５】
前記第１フィールド映像信号は、右眼映像の偶数列と左眼映像の奇数列とを交互に表示し、第２フィールド映像信号は、左眼映像の偶数列と右眼映像の奇数列とを交互に表示することを特徴とする請求項３に記載の２次元兼用の立体映像表示装置。
【請求項６】
前記ディスプレイパネルは、ＬＣＤまたはＦＬＣＤであることを特徴とする請求項１に記載の２次元兼用の立体映像表示装置。
【請求項７】
前記偏光板は、前記ディスプレイパネルから出力された映像ビームの偏光方向と同じ偏光方向を有することを特徴とする請求項１に記載の２次元兼用の立体映像表示装置。
【発明の詳細な説明】
【技術分野】
【０００１】
本発明は、立体映像表示装置に係り、特に解像度の低下なしに立体映像を表示し、さらに低コストで生産可能な２次元兼用の立体映像表示装置に関する。
【背景技術】
【０００２】
一般的に、３次元映像は、人間の両眼を通じたステレオ視覚の原理によりなるが、両眼が約６５ｍｍ離れて存在するために表れる両眼視差が立体感の最も重要な要因であるといえる。３次元映像ディスプレイには、眼鏡を利用したディスプレイ及び無眼鏡方式のディスプレイがあり、無眼鏡方式のディスプレイは、眼鏡を使用せずに左右映像を分離して３次元映像を得ることである。無眼鏡方式には、例えばパララックスバリア方式及びレンチキュラー方式がある。
【０００３】
パララックスバリア方式やレンチキュラー方式のディスプレイパネルの前または後に特殊な光学板、例えばバリアやレンチキュラーレンズなどを位置させて、異なる時点の映像を空間的に適切に分離させるという点で、その基本的な原理は類似している。このとき、異なる時点の映像が分離されつつ特定の視域を形成するが、観察者の両眼が該視域内に位置するときにのみ立体映像を正しく観察できる。
【０００４】
パララックスバリア方式は、左右の両眼がそれぞれ見ねばならない画像を交互に垂直のパターン状に印刷または写真で印画して、それを非常に細い垂直の格子列、すなわちバリアを利用して見ることである。これにより、左眼に入る垂直のパターンの画像と右眼に入る垂直のパターンの画像とがバリアにより配分されて、左眼と右眼でそれぞれ異なる時点の画像が見られることによって、立体映像と見られる。
【０００５】
特許文献１に開示されたパララックスバリア方式によれば、図１に示したように、観察者の左眼ＬＥ及び右眼ＲＥに対応する左眼画像情報Ｌｎ及び右眼画像情報Ｒｎを有する液晶パネル３の前に、垂直の格子状の開口５及びマスク７を有するパララックスバリア１０を配置し、パララックスバリア１０の開口５を通じて映像を分離する。液晶パネル３には、左眼に入力される画像情報Ｌｎと右眼に入力される画像情報Ｒｎとが水平方向に沿って交互に配列されている。
【０００６】
例えば、左眼画像情報Ｌｎを有する画素と右眼画像情報Ｒｎを有する画素とが一組となり、開口５を中心に左右の画素がそれぞれ異なる時点の画素となって立体映像を具現できる。例えば、第１左眼画像が左眼に、第１右眼画像が右眼にそれぞれ入り、第２左眼画像が左眼に、第２右眼画像が右眼にそれぞれ入り、同じ方式で左右の画素がそれぞれ対応する左眼と右眼とに入る。
【０００７】
かかる方式によれば、開口５を通じて画像が形成される一方、マスク７を通じては画像が遮断されるため、図２に示したように、左眼画像Ｌは、例えば奇数列画像のみで構成される一方、右眼画像Ｒは、例えば偶数列画像のみで構成される。
【０００８】
したがって、ディスプレイの全体的に解像度が低下し、３次元映像の輝度が低下するという問題点がある。
【０００９】
視域分離手段として利用されるバリアは、通常、透明フィルムやガラス板上に周期的に反復されるストライプパターンを印刷して製作するが、電気的な方法でバリアを具現する方法もある。この場合、図３のように、映像をディスプレイするためのディスプレイパネル４６の前面にバリアとして動作するためのＬＣＤ（液晶表示）パネル２８がさらに備えられる。かかる液晶バリア方式は、バリアの形態を能動的に調節できるが、ディスプレイパネル以外にＬＣＤパネルをさらに備えねばならないので、工程が複雑であり、製造コストが上昇するという短所がある。
【特許文献１】米国特許第５，３１５，３７７号明細書
【特許文献２】特開平１１−８４１３１号公報
【特許文献３】韓国特許公開１０−２００４−００７１６３８号公報
【特許文献４】韓国特許公開１０−２００４−００７７５９６号公報
【特許文献５】米国特許第６，７１０，９２０  Ｂ１
【発明の開示】
【発明が解決しようとする課題】
【００１０】
本発明の目的は、２次元映像及び３次元映像を選択的に表示でき、解像度の低下なしに立体映像を表示し、製作が容易な２次元兼用の立体映像表示装置を提供するところにある。
【課題を解決するための手段】
【００１１】
前記目的を達成するために、本発明による２次元兼用の立体映像表示装置は、入力された映像信号によって空間変調して映像を形成するディスプレイパネル、前記映像信号に同期して印加される電圧によって、入射ビームの偏光方向を変換させる偏光変換素子、及び第１偏光方向の第１偏光部と第２偏光方向の第２偏光部とが交互に配列されたものであって、前記偏光変換素子を通過したビームを偏光方向によって前記第１偏光部及び第２偏光部のうち少なくとも一つを通じて通過させるスイッチングバリアユニットを備えることを特徴とする。
【００１２】
前記目的を達成するために、本発明による２次元兼用の立体映像表示装置は、入力された映像信号によって空間変調して映像を形成するディスプレイパネル、前記映像信号に同期して印加される電圧によって、入射ビームの偏光方向を変換させる偏光変換素子、及び前記偏光変換素子から出力されたビームの位相を遅延させる位相遅延部と偏光変換素子から出力されたビームを通過させる透過部とが交互に配列された部分位相遅延板と、前記部分位相遅延板の次に配置された偏光板とを備えたスイッチングバリアユニットを備えることを特徴とする。
【００１３】
前記偏光変換素子に電圧を印加する電圧駆動源を備えることを特徴とする。
【００１４】
前記第１偏光部及び第２偏光部は、互いに直交する直線偏光方向を有することが望ましい。
【００１５】
前記第１偏光方向または第２偏光方向は、前記ディスプレイパネルから出力された映像ビームの偏光方向と同じであることが望ましい。
【００１６】
前記ディスプレイパネルは、ＬＣＤまたはＦＬＣＤ（フェロエレクトリック液晶表示）であることを特徴とする。
【００１７】
前記偏光変換素子は、入射ビームの偏光方向を４５°にして２次元映像を表示することを特徴とする。
【００１８】
前記隣り合う第１偏光部の間または隣り合う第２偏光部の間の間隔ピッチｐは、下記の条件式を満足させることを特徴とする：
【００１９】
【数３】
0005426067.tif 000002
ここで、ｍ＝ｅ／ｉであり、ｅは、左眼と右眼との平均距離であり、ｉは、ディスプレイパネルのピクセルピッチを表す。
【発明の効果】
【００２０】
本発明による立体映像表示装置は、簡単な偏光素子の組み合わせ及び時分割方式を使用して低コストで立体映像の水平解像度の低下なしに３次元映像を具現できる。また、偏光変換素子の電圧を調節して、３次元映像だけでなく２次元映像を共にディスプレイできる。
【発明を実施するための最良の形態】
【００２１】
以下、添付した図面を参照して、本発明の実施形態について詳細に説明する。
【００２２】
図４に示すように、本発明による立体映像表示装置は、映像を形成するディスプレイパネル１００、ディスプレイパネル１００から出力された映像ビームの偏光方向を印加された電圧によって変換する偏光変換素子１１０及び偏光変換素子１１０を通過したビームを偏光方向によって通過または遮断するためのパターンに形成されたスイッチングバリアユニット１２０を備える。
【００２３】
ディスプレイパネル１００は、偏光依存型のＬＣＤまたはＦＬＣＤであることが望ましく、透過型または反射型でありえる。ディスプレイパネル１００は、具体的に、第１偏光板１０１、第１ガラス板１０２、ＴＦＴ（薄膜トランジスタ）駆動部１０３により駆動されるＴＦＴ  １０４、第２ガラス板１０５及び第２偏光板１０６を備えて構成される。
【００２４】
偏光変換素子１１０は、多様な方法で具現可能であるが、例えば液晶に印加する電圧によってその偏光方向が変換される液晶偏光変換器で構成されうる。例えば、偏光変換素子１１０に電圧駆動源１１４から第１電圧Ｖ１が入力されるとき、入射ビームの偏光方向がそのまま維持されて通過され、第２電圧Ｖ２が入力されるとき、入射ビームの偏光方向が９０°変換し、第３電圧Ｖ３が入力されるとき、入射ビームの偏光方向が４５°変換する。偏光変換素子１１０には、同期部１１２によりディスプレイパネル１００での映像出力と同期されて電圧が印加される。
【００２５】
スイッチングバリアユニット１２０は、第１偏光方向を有する第１偏光部１２０ａと第２偏光方向を有する第２偏光部１２０ｂとが交互に配列されたパターンに構成されうる。前記第１偏光方向及び第２偏光方向は、互いに直交する直線偏光であることが望ましく、例えば第１偏光方向は、ディスプレイパネル１００から出射されるビームの偏光方向と同じであり、第２偏光方向は、ディスプレイパネル１００から出射されるビームの偏光方向に直交する方向を有する。ディスプレイパネル１００で形成された映像ビームがスイッチングバリアユニット１２０を通過するとき、第１偏光部１２０ａを通じて通過され、第２偏光部１２０ｂにより遮断されるか、または第１偏光部１２０ａにより遮断され、第２偏光部１２０ｂを通じて通過することによって、解像度の低下なしに３次元映像を具現できる。
【００２６】
隣り合う第１偏光部１２０ａの間または隣り合う第２偏光部１２０ｂの間の間隔ピッチｐは、次の式により決定される。
【００２７】
【数４】
0005426067.tif 000003
ここで、ｍ＝ｅ／ｉであり、ｅは、左眼と右眼との平均距離であって、例えば６５ｍｍであり、ｉは、ディスプレイパネルのピクセルピッチを表す。式（１）によるピッチｐは、既存の固定式バリア方式の立体映像表示装置でのバリア間のピッチと同一に適用される。そして、式は、一般的な２時点のバリア構造に適用される。
【００２８】
第１実施形態による３次元映像ディスプレイ装置で３次元映像が表示される作用について説明すると、次の通りである。
【００２９】
図５Ａに示すように、ディスプレイパネル１００に入力される一つのフレームの映像信号は、第１フィールド映像信号と第２フィールド映像信号とで構成され、第１フィールド映像信号と第２フィールド映像信号とが時間順次にディスプレイパネル１００に入力される。ディスプレイパネル１００から出力される第１フィールド映像ビームが第１偏光方向を有するとき、例えばＳ偏光ビームであるとき、偏光方向変換素子１１０に、前記第１フィールド映像に同期されてＶ１の電圧が印加されれば、前記第１フィールド映像ビームは、偏光方向が変わらず、偏光方向変換素子１１０を通過してスイッチングバリアユニット１２０に入射される。第１偏光ビームは、スイッチングバリアユニット１２０の第１偏光部１２０ａを通じて通過する一方、第２偏光部１２０ｂにより遮断されて、結果的にスイッチングバリアユニットが１２０’で表示された等価化されたバリアのように作用する。
【００３０】
次いで、図５Ｂに示すように、ディスプレイパネル１００から第２フィールド映像ビームが出力されるとき、偏光方向変換素子１１０に、前記第２フィールド映像に同期されてＶ２の電圧が印加されれば、前記第２フィールド映像ビームは、偏光方向が第２偏光方向、例えばＰ偏光ビームに変換されて、スイッチングバリアユニット１２０に入射される。第２偏光ビームは、スイッチングバリアユニット１２０の第１偏光部１２０ａにより遮断され、第２偏光部１２０ｂを通じて通過して、結果的に１２０”で表示された等価化されたバリアのように作用する。このように、スイッチングバリアユニット１２０は、入射ビームの偏光方向によってビームを通過させる開口部とビームを遮断させる非開口部とが時間順次に反転されつつスイッチングされることによって、３次元映像を解像度の低下なしに具現可能にする。
【００３１】
図６は、第１フィールド映像がスイッチングバリアユニット１２０の第１偏光部１２０ａを通過して左眼映像と右眼映像とに分離され、第２フィールド映像がスイッチングバリアユニット１２０の第２偏光部１２０ｂを通過して左眼映像と右眼映像とに分離されることを図表化した図であって、３次元映像が解像度の低下なしに具現されることを示す。
【００３２】
図７Ａは、偏光変換素子１１０で偏光方向の変化なしに通過された第１偏光方向を有する第１フィールド映像が、等価化されたスイッチングバリアユニット１２０’を通じて左眼映像と右眼映像とに分離される場合を示す図であって、第１フィールド映像に対しては、左眼に偶数列の左眼映像Ｌｆ１、右眼に奇数列の右眼映像Ｒｆ１が結ばれる。ここで、実線は、スイッチングバリアユニットの開口部を通じて通過するビームを、点線は、スイッチングバリアユニットの非開口部を通じて遮断されるビームを表したものであり、左眼映像と右眼映像とを区別して示した。
【００３３】
図７Ｂは、偏光変換素子１１０で偏光方向が第２偏光方向に変換されて等価化されたスイッチングバリアユニット１２０"を通じて点線で表示された第２フィールド左眼映像Ｌｆ２と第２フィールド右眼映像Ｒｆ２とに分離されて、それぞれ左眼と右眼とに結ばれる場合を示す図である。第２フィールド映像に対しては、左眼に奇数列の左眼映像Ｌｆ２、右眼に偶数列の右眼映像Ｒｆ２が結ばれる。
【００３４】
これと異なり、第１フィールド映像に対しては、左眼に奇数列の左眼映像、右眼に偶数列の右眼映像を結び、第２フィールド映像に対しては、左眼に偶数列の左眼映像、右眼に奇数列の右眼映像を結ぶことも可能である。
【００３５】
第１フィールド映像及び第２フィールド映像は、人の目が感知できない速い速度で順次に出力されて、２次元映像に比べて解像度の低下なしに３次元映像を見ることができる。一般的に、第１フィールド映像と第２フィールド映像との周期が１／１２０秒以下であるとき、人の目が明滅を感知できないと知られており、この程度の動作速度は、ＦＬＣやＯＣＢ（Ｏｐｔｉｃａｌ  Ｃｏｍｐｅｎｓａｔｅｄ  Ｂｅｎｄ）などの特殊な液晶を利用して具現可能である。
【００３６】
一方、本発明による立体映像ディスプレイ装置では、３次元映像と共に２次元映像が表示される。その作用効果について説明すれば、ディスプレイパネル１００から出力された第１偏光ビームが偏光変換素子１１０に入射され、偏光変換素子１１０にＶ３電圧が印加されれば、ビームの偏光方向が４５°に変換されてスイッチングバリアユニット１２０に入射される。図８は、４５°の偏光方向を有するビームがスイッチングバリアユニット１２０に入射される場合を示す図であって、４５°の偏光方向を有するビームは、第１偏光部１２０ａ及び第２偏光部１２０ｂの両側を通過する。このとき、入射ビームの一部は通過されずに損失されるが、第１及び第２偏光部１２０ａ，１２０ｂの両側を通じて通過されるので、等価化されたスイッチングバリアユニット１２０’’’の全体を通じて出力される。したがって、ディスプレイパネルにより形成された映像が左眼映像と右眼映像とに分離されずに、２次元映像を形成する。
【００３７】
前述したように、ディスプレイパネル１００から出力される第１フィールド映像及び第２フィールド映像に同期されて時間順次に印加される第１電圧Ｖ１及び第２電圧Ｖ２によって駆動される偏光変換素子１１０を通じて、入射ビームの偏光方向が変換されてスイッチングバリアユニット１２０に入射されることによって、３次元映像が２次元映像に比べて解像度の低下なしに具現されうる。スイッチングバリアユニット１２０は、入射ビームの偏光方向によってバリア部がスイッチングされる作用を行う。
【００３８】
図９に示すように、本発明の第２実施形態による立体映像ディスプレイ装置は、映像を形成するディスプレイパネル２００、前記映像ビームの偏光方向を変換する偏光変換素子２１０、及び偏光変換素子２１０を通過したビームの偏光方向によってビームを通過または遮断するパターンを有するスイッチングバリアユニット２２０を備える。
【００３９】
ディスプレイパネル２００は、駆動部２０８により空間変調されて映像を形成するものであって、例えばＬＣＤまたはＦＬＣＤで構成されうる。偏光変換素子２１０は、同期部２１２を通じて駆動部２０８に同期されて電圧駆動源２１４から印加される電圧によって、入射ビームの偏光方向を変換する。ディスプレイパネル２００及び偏光変換素子２１０についての具体的な構造及び作用効果は、第１実施形態でのディスプレイパネル１００及び偏光変換素子１１０と実質的に同一であるので、ここではその詳細な説明を省略する。
【００４０】
スイッチングバリアユニット２２０は、位相遅延部２２２ａと透過部２２２ｂとが交互に反復されて配列された部分位相遅延板２２２及び偏光板２２４を備える。隣り合う位相遅延部２２２ａの間の間隔ピッチ及び隣り合う透過部の間の間隔ピッチｐは、式（１）によって設計される。位相遅延部２２２ａは、１／２波長板であって、偏光変換素子２１０を通過したビームの偏光方向を９０°遅延させることによって、Ｓ偏光ビームをＰ偏光ビームに、またはＰ偏光ビームをＳ偏光ビームに変換する。これと共に透過部２２２ｂを通過するビームは、偏光方向の変化なしに透過される。結果的に、部分位相遅延板２２２を通過したビームは、第１偏光ビームと第２偏光ビームとが混合されて存在し、偏光板２２４の偏光方向によって、第１偏光ビーム及び第２偏光ビームのうちいずれか一つのビームが偏光板２２４を通過する。
【００４１】
図１０Ａ及び図１０Ｂは、スイッチングバリアユニット２２０のスイッチング作用を説明するための図である。偏光変換素子２１０を通じて第１偏光ビームが部分位相遅延板２２２に入射されれば、位相遅延部２２２ａを通じて第１偏光ビームが第２偏光ビームに変換され、透過部２２２ｂを通じては第１偏光ビームがそのまま通過される。次いで、偏光変換素子２１０を通じて第２偏光ビームが部分位相遅延板２２２に入射されれば、位相遅延部２２２ａを通じて第２偏光ビームが第１偏光ビームに変換され、透過部２２２ｂを通じては第２偏光ビームがそのまま通過される。第１偏光ビームが入射されたとき及び第２偏光ビームが入射されたときを比較すれば、第１偏光ビームと第２偏光ビームとの位置が互いに逆転され、結果的に偏光板２２４の偏光方向によって通過する偏光ビームの位置が相異なる。例えば、偏光板２２４が第１偏光方向を有するとき、第１偏光ビームのみが通過され、第２偏光ビームは遮断され、通過される第１偏光ビームの位置が時間順次にスイッチングされることによって、スイッチングバリアの機能を行う。かかる作用は、等価化されたスイッチングバリアユニット２２０’，２２０”を通じて容易に分かる。
【００４２】
図１１は、第２実施形態による立体映像表示装置で２次元映像が具現されるとき、スイッチングバリアユニット２２０の作用を説明するための図である。
【００４３】
ディスプレイパネル２００で２次元映像が形成されるとき、偏光変換素子２１０で第３電圧Ｖ３が印加され、偏光変換素子２１０により映像ビームの偏光方向が４５°に変換されてスイッチングバリアユニット２２０に入射される。４５°の偏光方向を有するビームが位相遅延部２２２ａ及び透過部２２２ｂの両側を通じて通過された後、偏光板２２４を通じて通過される。結果的に、等価化されたスイッチングバリアユニット２２０’’’のようにスイッチングバリアユニット２２０の全体を通じて映像が通過されるので、左眼映像と右眼映像とに分離されず、２次元映像が具現される。
【００４４】
本発明では、必要に応じて、２次元モード及び３次元モードを選択的に具現でき、３次元映像を２次元映像に比べて解像度の低下なしに具現できる。
【００４５】
前記した実施形態は、例示的なものに過ぎず、当業者ならば、これから多様な変形及び均等な他の実施形態が可能である。したがって、本発明の真の技術的保護範囲は、特許請求の範囲に記載された発明の技術的思想により決まらねばならない。
【産業上の利用可能性】
【００４６】
本発明は、立体映像表示装置関連の技術分野に適用可能である。
【図面の簡単な説明】
【００４７】
【図１】従来の米国特許第５，３１５，３７７号明細書に開示されたパララックスバリア方式による３次元映像ディスプレイ装置を概略的に示す図である。
【図２】図１に示した３次元映像ディスプレイ装置により右眼映像と左眼映像とがディスプレイされた状態を示す図である。
【図３】従来にバリア素子としてＬＣＤパネルを採用した３次元映像ディスプレイ装置を示す図である。
【図４】本発明の第１実施形態による２次元兼用の立体映像表示装置の概略的な構成図である。
【図５Ａ】第１偏光ビームが第１実施形態による２次元兼用の立体映像表示装置に備えられたスイッチングバリアユニットに入射されたときの等価化されたバリアユニットを示す図である。
【図５Ｂ】第２偏光ビームが第１実施形態による２次元兼用の立体映像表示装置に備えられたスイッチングバリアユニットに入射されたときの等価化されたバリアユニットを示す図である。
【図６】本発明による２次元兼用の立体映像表示装置において、第１フィールド映像信号と第２フィールド映像信号とが順次に入力されるときに３次元映像が具現される過程を示すダイヤグラムである。
【図７Ａ】本発明の第１実施形態による２次元兼用の立体映像表示装置において、第１偏光方向を有する第１フィールド映像が左眼と右眼とに分離されて３次元映像が表示される原理を説明するための図である。
【図７Ｂ】本発明の第１実施形態による２次元兼用の立体映像表示装置において、第２偏光方向を有する第２フィールド映像が左眼と右眼とに分離されて３次元映像が表示される原理を説明するための図である。
【図８】本発明の第１実施形態による２次元兼用の立体映像表示装置において、２次元映像が表示される原理を説明するための図である。
【図９】本発明の第２実施形態による２次元兼用の立体映像表示装置の概略的な構成図である。
【図１０Ａ】本発明の第２実施形態による２次元兼用の立体映像表示装置に備えられたスイッチングバリアユニットに第１偏光ビームが入射されたときの等価化されたバリアユニットを示す図である。
【図１０Ｂ】本発明の第２実施形態による２次元兼用の立体映像表示装置に備えられたスイッチングバリアユニットに第２偏光ビームが入射されたときの等価化されたバリアユニットを示す図である。
【図１１】本発明の第２実施形態による２次元兼用の立体映像表示装置において、２次元映像が表示される原理を説明するための図である。
【符号の説明】
【００４８】
１００    ディスプレイパネル
１０１    第１偏光板
１０２    第１ガラス板
１０３    ＴＦＴ駆動部
１０４    ＴＦＴ
１０５    第２ガラス板
１０６    第２偏光板
１１０    偏光変換素子
１１２    同期部
１１４    電圧駆動源
１２０    スイッチングバリアユニット
１２０ａ  第１偏光部
１２０ｂ  第２偏光部
【図１】
0005426067.tif 000005
【図２】
0005426067.tif 000006
【図３】
0005426067.tif 000007
【図４】
0005426067.tif 000008
【図５Ａ】
0005426067.tif 000009
【図５Ｂ】
0005426067.tif 000010
【図６】
0005426067.tif 000011
【図７Ａ】
0005426067.tif 000012
【図７Ｂ】
0005426067.tif 000013
【図８】
0005426067.tif 000014
【図９】
0005426067.tif 000015
【図１０Ａ】
0005426067.tif 000016
【図１０Ｂ】
0005426067.tif 000017
【図１１】
0005426067.tif 000018